(57)【特許請求の範囲】
【請求項１】
光軸を前方に向けたＬＥＤと、
前記ＬＥＤの前方に配置された導光体と、
を備える灯具において、
前記導光体は、
前記ＬＥＤに対向して前記光軸上に位置するように当該導光体の後面に設けられ、前記ＬＥＤから出射された光を前方への平行光としつつ当該導光体内へ入射させる第１入射部と、
前記後面のうち前記第１入射部の周囲に設けられ、前記ＬＥＤから出射された光のうち前記第１入射部よりも側方へ向かう光を前方への平行光としつつ当該導光体内へ入射させる第２入射部と、
当該導光体の前面のうち前記第１入射部の前方に設けられ、前記第１入射部から当該導光体内に入射した光を前記光軸に直交する複数の光軸直交方向へ広げるように内部反射させる第１反射面と、
前記後面のうち前記第２入射部の周囲に設けられ、前記第１反射面で内部反射された光を前方へ内部反射させる第２反射面と、
前記前面のうち前記第２入射部の前方に設けられ、前記第２入射部から当該導光体内に入射した光を当該導光体内から出射させる中央出射面と、
前記前面のうち前記中央出射面の周囲に設けられ、前記第２反射面で内部反射された光を当該導光体内から出射させる周囲出射面と、
を有し、
前記中央出射面は、前記光軸に直交する第１光軸直交方向と、前記光軸及び前記第１光軸直交方向の何れにも直交する第２光軸直交方向とに平行な各辺からなる略四角形状に形成され、
前記周囲出射面は、前記第１光軸直交方向に沿って長尺な２辺と、前記第２光軸直交方向に沿って長尺な２辺とからなる略四角環状に形成され、
前記第１反射面は、前記光軸上の点を基点として、前記第１光軸直交方向の両側と前記第２光軸直交方向の両側との４方向へ前記光軸に対して４５度の角度で個別に傾斜する４つが設けられ、
前記導光体は、当該導光体の周辺部であって、前記第１反射面の前記第１光軸直交方向の両側と前記第２光軸直交方向の両側とに位置する４箇所に設けられ、４つの前記第１反射面で前記第１光軸直交方向又は前記第２光軸直交方向の両側へ内部反射された光をそれぞれ前記第２光軸直交方向又は前記第１光軸直交方向の両側へ内部反射させる４対の分岐反射面を有し、
前記第２反射面は、前記周囲出射面の長手方向に沿って前記４対の分岐反射面それぞれの当該長手方向の両側に複数設けられ、４つの前記第１反射面で内部反射された後に前記４対の分岐反射面で内部反射された光を前方へ個別に内部反射させることを特徴とする灯具。
【発明の詳細な説明】
【技術分野】
【０００１】
本発明は、灯具に関する。
【背景技術】
【０００２】
従来、車両用信号灯や一般照明灯などに用いられる灯具として、ＬＥＤ（発光ダイオード）からの光を導光体で導光して当該導光体の発光面を発光させるものが知られている。
【０００３】
この種の灯具として、例えば特許文献１に記載のものでは、ＬＥＤの前方に配置された導光体が、ＬＥＤの発光面に対向して当該ＬＥＤの光軸上に配置された中央入射面と、中央入射面の周囲に形成されたプリズムと、中央入射面とは反対側の面に当該中央入射面に対応させて形成された中央出射面と、中央出射面の周囲にプリズムに対応させて形成された周囲出射面とを有している。
【０００４】
上記特許文献１に記載の灯具では、ＬＥＤの発光面から出射された光のうち、光軸から所定角度の範囲内で当該光軸に沿って出射されたものが、中央入射面から導光体内に入射して中央出射面から出射する。また、ＬＥＤの発光面から出射された光のうち、光軸から所定角度以上に斜め方向へ出射されたものが、プリズムから導光体内に入射して周囲出射面から出射する。このように、特許文献１に記載の灯具では、ＬＥＤから出射された光を広く導光体に入射させることにより、発光面（出射面全体）を広く発光させている。
【先行技術文献】
【特許文献】
【０００５】
【特許文献１】特開２０１０−１６５４８４号公報
【発明の概要】
【発明が解決しようとする課題】
【０００６】
ところで、ＬＥＤから出射される光は、一般に、光軸を基準とする出射角度に応じて光束が分布している。具体的には、出射角度が大きい（光軸から外れて斜め方向に出射される）光ほど、光束が少なくなる。
【０００７】
そのため、上記特許文献１に記載の灯具では、ＬＥＤの光軸上に位置する中央入射面の方が、その周囲のプリズムよりも多くの光束を導光体内に入射させる結果、中央出射面の方が周囲出射面よりも多くの光束を出射させることとなる。したがって、上記特許文献１に記載の灯具では、中央出射面の方が周囲出射面よりも明るく発光してしまい、反対に、周囲出射面の方を中央出射面よりも明るく発光させて発光面の輪郭を強調することができない。
【０００８】
本発明は、上記事情を鑑みてなされたもので、ＬＥＤからの光を広く取り込みつつ、発光面の周辺部を中央部よりも明るく発光させることができる灯具の提供を課題とする。
【課題を解決するための手段】
【０００９】
上記課題を解決するために、請求項１に記載の発明は、
光軸を前方に向けたＬＥＤと、
前記ＬＥＤの前方に配置された導光体と、
を備える灯具において、
前記導光体は、
前記ＬＥＤに対向して前記光軸上に位置するように当該導光体の後面に設けられ、前記ＬＥＤから出射された光を前方への平行光としつつ当該導光体内へ入射させる第１入射部と、
前記後面のうち前記第１入射部の周囲に設けられ、前記ＬＥＤから出射された光のうち前記第１入射部よりも側方へ向かう光を前方への平行光としつつ当該導光体内へ入射させる第２入射部と、
当該導光体の前面のうち前記第１入射部の前方に設けられ、前記第１入射部から当該導光体内に入射した光を前記光軸に直交する複数の光軸直交方向へ広げるように内部反射させる第１反射面と、
前記後面のうち前記第２入射部の周囲に設けられ、前記第１反射面で内部反射された光を前方へ内部反射させる第２反射面と、
前記前面のうち前記第２入射部の前方に設けられ、前記第２入射部から当該導光体内に入射した光を当該導光体内から出射させる中央出射面と、
前記前面のうち前記中央出射面の周囲に設けられ、前記第２反射面で内部反射された光を当該導光体内から出射させる周囲出射面と、
を有し、
前記中央出射面は、前記光軸に直交する第１光軸直交方向と、前記光軸及び前記第１光軸直交方向の何れにも直交する第２光軸直交方向とに平行な各辺からなる略四角形状に形成され、
前記周囲出射面は、前記第１光軸直交方向に沿って長尺な２辺と、前記第２光軸直交方向に沿って長尺な２辺とからなる略四角環状に形成され、
前記第１反射面は、前記光軸上の点を基点として、前記第１光軸直交方向の両側と前記第２光軸直交方向の両側との４方向へ前記光軸に対して４５度の角度で個別に傾斜する４つが設けられ、
前記導光体は、当該導光体の周辺部であって、前記第１反射面の前記第１光軸直交方向の両側と前記第２光軸直交方向の両側とに位置する４箇所に設けられ、４つの前記第１反射面で前記第１光軸直交方向又は前記第２光軸直交方向の両側へ内部反射された光をそれぞれ前記第２光軸直交方向又は前記第１光軸直交方向の両側へ内部反射させる４対の分岐反射面を有し、
前記第２反射面は、前記周囲出射面の長手方向に沿って前記４対の分岐反射面それぞれの当該長手方向の両側に複数設けられ、４つの前記第１反射面で内部反射された後に前記４対の分岐反射面で内部反射された光を前方へ個別に内部反射させることを特徴とする。
【発明の効果】
【００１１】
本発明によれば、ＬＥＤから出射された光のうち、光軸からの出射角度が小さいものは、ＬＥＤに対向する第１入射部を通じて前方への平行光とされつつ導光体内に入射し、第１反射面によって複数の光軸直交方向へ広がるように内部反射されて第２反射面で前方へ内部反射された後に、中央出射面の周囲に設けられた周囲出射面から出射する。一方、ＬＥＤから出射された光のうち、光軸からの出射角度が大きいものは、第１入射部の周囲に設けられた第２入射部を通じて前方への平行光とされつつ導光体内に入射し、中央出射面から出射する。したがって、ＬＥＤからの光を第１入射部と第２反射面とで広く取り込みつつ、中央出射面を発光させる光よりも出射角度が小さく，光束が多い光によって周囲出射面を発光させることができ、ひいては、発光面の周辺部（周囲出射面）を中央部（中央出射面）よりも明るく発光させることができる。
【図面の簡単な説明】
【００１２】
【図１】実施形態における灯具の正面図である。
【図２】実施形態における灯具の背面図である。
【図３】図１のＡ−Ａ線での断面図である。
【図４】図１のＢ−Ｂ線での断面図である。
【図５】図１のＣ−Ｃ線での断面図である。
【図６】図１のＤ−Ｄ線での断面図である。
【図７】実施形態における灯具内での光路を説明するための図である。
【図８】実施形態における灯具内での光路を説明するための図である。
【図９】実施形態における灯具内での光路を説明するための図である。
【図１０】実施形態における灯具内での光路を説明するための図である。
【図１１】実施形態における灯具内での光路を説明するための図である。
【発明を実施するための形態】
【００１３】
以下、本発明の実施形態について、図面を参照して説明する。
【００１４】
図１は、本実施形態における灯具１の正面（前面）図であり、図２は、灯具１の背面（後面）図であり、図３〜図６は、図１のＡ−Ａ線〜Ｄ−Ｄ線での各断面図である。
なお、以下の説明では、「前」「後」との記載は、灯具１から見た方向を指すものとする。また、灯具１の前後方向に沿った方向を「Ｚ方向」とし、当該Ｚ方向に直交し、且つ互いに直交する２方向を「Ｘ方向」及び「Ｙ方向」とする。
【００１５】
図１〜図４に示すように、灯具１は、ＬＥＤ（発光ダイオード）２と、ＬＥＤ２の前方に配置された導光体３とを備えている。
このうち、ＬＥＤ２は、光軸Ａｘを前方に向けた状態に配置されており、当該光軸Ａｘを中心にランバーシャンな指向特性を有する光を前方へ出射する。具体的には、ＬＥＤ２から出射される光は、光軸Ａｘからの出射角度が大きい（光軸Ａｘから外れて斜め前方に出射される）ものほど、光束が少なくなっている。
【００１６】
導光体３は、ＬＥＤ２から出射された光を導光しつつ当該光によって発光するものであり、Ｚ方向に直交する略平板状に形成されている。当該導光体３は、Ｘ方向及びＹ方向に平行な各辺からなる四角形の正面視形状に形成された中央部３ａと、中央部３ａの各側面に沿って周囲を囲うように配設されて略四角環状の正面視形状に形成された周辺部３ｂとから構成されている。
【００１７】
導光体３の中央部３ａには、第１入射部３１と、複数の第２入射部３２，…と、４つの第１反射面３３，…と、中央出射面３４とが形成されている。
このうち、第１入射部３１は、光軸Ａｘを中心とする略円柱状に形成され、ＬＥＤ２に対向して光軸Ａｘ上に位置するように中央部３ａの後面に突設されている。第１入射部３１の後端には、後方へ膨出する凸面状（非球面）の第１入射面３１１が、光軸Ａｘを回転対称軸としてＬＥＤ２と対向するように形成されている。この第１入射面３１１は、その焦点にＬＥＤ２が位置するように配設されており、ＬＥＤ２から出射された光のうち出射角度が半値角（最大出射角度の半分の角度）未満のものを、光軸Ａｘに沿った方向へ屈折させて前方への平行光としつつ導光体３内へ入射させる。
【００１８】
第２入射部３２，…は、中央部３ａの後面のうち第１入射部３１の周囲全面に亘って設けられ、光軸Ａｘを中心軸として互いに径の異なる同心円状に形成されている。各第２入射部３２は、放射断面が略三角形状となるように後方へ突設されたプリズム部であり、このうち光軸Ａｘに近い側の面が、ＬＥＤ２から出射された光のうち第１入射部３１よりも側方へ向かう光、つまり出射角度が半値角以上の光を導光体３内へ入射させる第２入射面３２１となっている。この第２入射面３２１は、下方へ略垂直に屹立しており、より詳細には、導光体３の成形時における成形型からの抜き勾配として側方へ僅かに傾斜している。一方、第２入射部３２のうち光軸Ａｘから遠い側の面は、第２入射面３２１から導光体３内へ入射した光を光軸Ａｘに沿った方向へ内部反射させるプリズム反射面３２２となっている。したがって、第２入射部３２は、ＬＥＤ２から出射された光のうち第１入射部３１よりも側方へ向かう光、つまり出射角度が半値角以上のものを、前方への平行光としつつ導光体３内へ入射させる。
【００１９】
第１反射面３３，…は、中央部３ａの前面のうち第１入射部３１の前方に設けられている。この第１反射面３３，…は、光軸Ａｘ上の点を基点として、Ｘ方向の両側とＹ方向の両側との４方向へ、光軸Ａｘに対して４５度の角度で個別に傾斜する４つの三角形状の平面であり、頂点を光軸Ａｘ上に位置させつつ上下反転させた正四角錘の周面を構成するように、隣り合う第１反射面３３と互いに連結されている。このような構成により、第１反射面３３，…は、第１入射部３１から導光体３内へ入射した光を、光軸Ａｘを境にＸ方向の両側とＹ方向の両側との４方向へ等分に分岐されるように内部反射させる。
【００２０】
中央出射面３４は、中央部３ａの前面のうち第１反射面３３，…の周囲全面に亘るように、つまり、中央部３ａの前面のうち第２入射部３２の前方に設けられている。この中央出射面３４は、第２入射部３２から導光体３内に入射した光を当該導光体３内から出射させる。また、中央出射面３４には、出射光を拡散させるレンズカットが全面に亘って形成されている。
【００２１】
導光体３の周辺部３ｂには、４対の分岐反射面３５，…と、複数の第２反射面３６，…と、４つの周囲出射面３７，…とが形成されている。
このうち、４対の分岐反射面３５，…は、第１反射面３３，…のＸ方向の両側２箇所に位置する２対の分岐反射面３５ａ，…と、第１反射面３３，…のＹ方向の両側２箇所に位置する２対の分岐反射面３５ｂ，…とから構成されている。このうち、２対の分岐反射面３５ａ，…は、光軸ＡｘをＸ方向にシフトした線と中央部３ａの側端面との交線を基端として、Ｘ方向に対して４５度の角度でＹ方向の両側へ個別に傾斜する一対の平面としてそれぞれ構成されている。この分岐反射面３５ａ，…は、第１反射面３３，…のうちＸ方向の両側へ傾斜する２面によってＸ方向の両側へ内部反射された光を、それぞれＹ方向の両側へ等分に分岐されるように内部反射させる。一方、２対の分岐反射面３５ｂ，…は、光軸ＡｘをＹ方向にシフトした線と中央部３ａの側端面との交線を基端として、Ｙ方向に対して４５度の角度でＸ方向の両側へ個別に傾斜する一対の平面としてそれぞれ構成されている。この分岐反射面３５ｂ，…は、第１反射面３３，…のうちＹ方向の両側へ傾斜する２面によってＹ方向の両側へ内部反射された光を、それぞれＸ方向の両側へ等分に分岐されるように内部反射させる。
【００２２】
第２反射面３６，…は、図２，図５及び図６に示すように、導光体３の後面のうち第２入射部３２，…の周囲、つまり周辺部３ｂの後面に設けられており、より詳しくは、周辺部３ｂの後面のうち分岐反射面３５，…が配設された４箇所を除く部分に設けられている。この第２反射面３６，…は、周辺部３ｂのうち、Ｙ方向に長尺な部分に設けられた第２反射面３６ａ，…と、Ｘ方向に長尺な部分に設けられた第２反射面３６ｂ，…とを有している。何れの第２反射面３６，…が設けられた周辺部３ｂの後面も、当該周辺部３ｂの長手方向（Ｘ方向又はＹ方向）に沿って階段状に形成されており、各段面がＺ方向に直交するとともに周辺部３ｂの端部（角部）に向かうに連れて段階的に前方に位置するように形成されている。各第２反射面３６は、この各段面と周辺部３ｂの長手方向へ交互に連なって階段状の面を構成しており、周辺部３ｂの長手方向に対して４５度の角度で傾斜している。但し、周辺部３ｂのうちＹ方向に長尺な部分に設けられた第２反射面３６ａ，…が導光体３のＹ方向の端部まで形成されている一方、周辺部３ｂのうちＸ方向に長尺な部分に設けられた第２反射面３６ｂ，…は、中央部３ａの端部までしか形成されていない。このように、第２反射面３６，…は、周辺部３ｂの４つの長尺部分それぞれにおいて一対の分岐反射面３５，３５の両側（周辺部３ｂの長手方向の両側）に設けられており、つまり、８群に分けて設けられている。そして、各群の第２反射面３６，…のＺ方向の範囲（位置及び長さ）が、分岐反射面３５，…のＺ方向の範囲（位置及び長さ）と一致している。このような構成により、第２反射面３６，…は、第１反射面３３，…で内部反射され、分岐反射面３５，…でＸ方向の両側又はＹ方向の両側へ分岐して内部反射された光を、前方へ個別に内部反射させる。
【００２３】
周囲出射面３７，…は、導光体３の前面のうち中央出射面３４の周囲、つまり周辺部３ｂの前面に設けられており、より詳しくは、周辺部３ｂの前面のうち分岐反射面３５，…が配設された４箇所を除く前方への突出部分に設けられている。そのため、周囲出射面３７，…は、全体として、周辺部３ｂの正面視形状と略一致する形状を呈しており、即ち、Ｘ方向に沿って長尺な２辺とＹ方向に沿って長尺な２辺とからなる略四角環状に形成されている。この周囲出射面３７，…は、第２反射面３６，…の前方に位置しており、このうちの第２反射面３６ａ，…の前方に位置する周囲出射面３７ａ，…と、第２反射面３６ｂ，…の前方に位置する周囲出射面３７ｂ，…とから構成されている。何れの周囲出射面３７，…もＺ方向に直交する平面状に形成されており、第２反射面３６，…で前方へ内部反射された光を導光体３内から出射させる。
【００２４】
続いて、灯具１の発光態様について説明する。
図７〜図１１は、灯具１内での光路を説明するための図であり、図１，図３〜図６で示した各部を示している。
【００２５】
これらの図に示すように、ＬＥＤ２から出射された光のうち、出射角度が半値角未満の光Ｌ１は、第１入射面３１１を通じて前方への平行光とされつつ導光体３内へ入射する。この光Ｌ１は、第１入射面３１１から前方に進んで４つの第１反射面３３，…に入射し、当該第１反射面３３，…により光軸Ａｘを境にＸ方向の両側とＹ方向の両側との４方向へ分岐されつつ内部反射される。
【００２６】
このうち、第１反射面３３，…でＸ方向の両側へ分岐された光Ｌ１１及び光Ｌ１２は、Ｘ方向の両側へ進んで一対の分岐反射面３５ａ，…に入射し、当該分岐反射面３５ａ，…によりＹ方向の両側へ分岐されつつ内部反射される。こうして、光Ｌ１１が光Ｌ１１１と光Ｌ１１２とに分岐され、光Ｌ１２が光Ｌ１２１と光Ｌ１２２とに分岐される。これらの光Ｌ１１１，Ｌ１１２，Ｌ１２１，Ｌ１２２は、分岐反射面３５ａ，…からＹ方向の両側へ進んで第２反射面３６ａ，…に入射し、Ｙ方向へ断続的に分布する当該当該第２反射面３６ａ，…によってＹ方向に分散されつつ前方へ個別に内部反射される。そして、これらの光Ｌ１１１，Ｌ１１２，Ｌ１２１，Ｌ１２２が周囲出射面３７ａ，…から前方へ出射することにより、当該周囲出射面３７ａ，…が発光する。
【００２７】
一方、第１反射面３３，…でＹ方向の両側へ分岐された光Ｌ１３及び光Ｌ１４は、Ｙ方向の両側へ進んで一対の分岐反射面３５ｂ，…に入射し、当該分岐反射面３５ｂ，…によりＸ方向の両側へ分岐されつつ内部反射される。こうして、光Ｌ１３が光Ｌ１３１と光Ｌ１３２とに分岐され、光Ｌ１４が光Ｌ１４１と光Ｌ１４２とに分岐される。これらの光Ｌ１３１，Ｌ１３２，Ｌ１４１，Ｌ１４２は、分岐反射面３５ｂ，…からＸ方向の両側へ進んで第２反射面３６ｂ，…に入射し、Ｘ方向へ断続的に分布する当該当該第２反射面３６ｂ，…によってＸ方向に分散されつつ前方へ個別に内部反射される。そして、これらの光Ｌ１３１，Ｌ１３２，Ｌ１４１，Ｌ１４２が周囲出射面３７ｂ，…から前方へ出射することにより、当該周囲出射面３７ｂ，…が発光する。
【００２８】
また、ＬＥＤ２から出射された光のうち、出射角度が半値角以上の光Ｌ２は、第２入射部３２，…を通じて前方への平行光とされつつ導光体３内へ入射する。より詳しくは、光Ｌ２は、第２入射面３２１，…を通じて側方へ屈折されつつ導光体３内へ入射した後に、プリズム反射面３２２，…によって前方へ内部反射される。そして、この光Ｌ２が第２入射部３２から前方に進んで中央出射面３４から前方へ出射することにより、当該中央出射面３４が発光する。
【００２９】
このように、灯具１では、ＬＥＤ２からの出射角度が小さい光Ｌ１を光Ｌ１１１〜Ｌ１４２に８分割して周囲出射面３７，…を発光させるとともに、出射角度が大きい光Ｌ２により中央出射面３４を発光させている。したがって、中央出射面３４を発光させる光Ｌ２よりも光束が多い光Ｌ１によって周囲出射面３７，…を発光させることができ、ひいては、周囲出射面３７，…を中央出射面３４よりも明るく発光させることができる。
【００３０】
以上のように、灯具１によれば、第１入射部３１と第２反射面３２とによりＬＥＤ２からの光を広い出射角度の範囲に亘って導光体３内に取り込みながら、中央出射面３４を発光させる光Ｌ２よりも出射角度が小さく，光束が多い光Ｌ１によって周囲出射面３７，…を発光させることができる。したがって、ＬＥＤ２からの光を広く取り込みつつ、周囲出射面３７，…を中央出射面３４よりも明るく発光させることができる。
【００３１】
また、四角形状の中央出射面３４と、その周囲に設けられた略四角環状の周囲出射面３７，…とを発光させることができるので、ＬＥＤの形状に対応した単純な円形状の発光面を発光させていた従来とは異なり、発光時の意匠性を独自性のあるものとすることができる。
【００３２】
なお、本発明を適用可能な実施形態は、上述した実施形態に限定されることなく、本発明の趣旨を逸脱しない範囲で適宜変更可能である。
【００３３】
例えば、上記実施形態では、ＬＥＤ２から出射された光のうち、出射角度が半値角未満の光Ｌ１によって周囲出射面３７，…を発光させ、出射角度が半値角以上の光Ｌ２によって中央出射面３４を発光させることとしたが、これらの光Ｌ１と光Ｌ２とを区分する出射角度の閾値は半値角でなくともよい。具体的には、より周囲出射面３７，…を明るく発光させたければ、当該閾値を半値角以上に変更してもよい。但し、この場合には、第１入射部３１や第２入射部３２，第１反射面３３，…等の大きさ・位置等を適宜調整する必要があることは勿論である。
【００３４】
また、四角形状の中央出射面３４と、その周囲に設けられた略四角環状の周囲出射面３７，…とを発光させることとしたが、これら中央出射面３４及び周囲出射面３７は円形であってもよい。この場合には、例えば、第１反射面３３を円錐の周面状にして当該第１反射面３３で内部反射された光をＸＹ平面内で広げるようにするとともに、分岐反射面３５，…を設けないこととし、第１反射面３３からの光が第２反射面３６によって直接前方へ内部反射されるようにすればよい。
更に、中央出射面３４及び周囲出射面３７は、四角形以外の多角形状であってもよい。
【符号の説明】
【００３５】
１            灯具
２            ＬＥＤ
Ａｘ        光軸
３            導光体
３ａ        中央部
３１      第１入射部
３１１  第１入射面
３２      第２入射部
３２１  第２入射面
３２２  プリズム反射面
３３      第１反射面
３４      中央出射面
３ｂ        周辺部
３５，３５ａ，３５ｂ  分岐反射面
３６，３６ａ，３６ｂ  第２反射面
３７，３７ａ，３７ｂ  周囲出射面
Ｌ１          光（出射角度が小さい光）
Ｌ２          光（出射角度が大きい光）
Ｘ            方向（第１光軸直交方向）
Ｙ            方向（第２光軸直交方向）
【図１】
0005695457.tif 000002
【図２】
0005695457.tif 000003
【図３】
0005695457.tif 000004
【図４】
0005695457.tif 000005
【図５】
0005695457.tif 000006
【図６】
0005695457.tif 000007
【図７】
0005695457.tif 000008
【図８】
0005695457.tif 000009
【図９】
0005695457.tif 000010
【図１０】
0005695457.tif 000011
【図１１】
0005695457.tif 000012